(57)【特許請求の範囲】
【請求項１】
排泄物を受け入れるボウル部と、
前記ボウル部の排泄物を排出する排出管路と、を有する大便器本体と、
前記大便器本体へ向けて洗浄水を供給する洗浄水供給手段と、
使用者が前記大便器本体の水洗を指示する水洗指示スイッチと、
前記水洗指示スイッチからの指示信号に基づいて前記洗浄水供給手段の動作を制御して前記大便器本体の水洗を行う制御手段と、
を備えた水洗大便器装置において、
前記制御手段は、
前記水洗指示スイッチからの指示信号に基づいて、前記洗浄水供給手段を単発で駆動して前記大便器本体を水洗する通常水洗モードと、
前記水洗指示スイッチからの指示信号または予め設定された設定条件に基づいて、前記洗浄水供給手段を駆動して前記大便器本体を水洗し、その水洗終了後に再度前記洗浄水供給手段を駆動して前記大便器本体の２回目水洗をする排水管水洗モードと、を備え、
前記制御手段は、
前記水洗指示スイッチからの指示信号とは関係なく、予め設定された設定時間の間隔で排水管水洗モードを実行する、
もしくは、前記水洗指示スイッチからの操作信号の受付時に、前回の前記排水管水洗モードが実行されてからの経過時間が予め設定された設定時間を超えていれば排水管水洗モードを実行し、超えていなければ前記通常水洗モードを実行する、ように構成され、
さらに、前記制御手段は、
前記通常水洗モードで使用される洗浄水量を設定可能であり、
前記洗浄水量と前記設定時間とを関連づけて記憶している第１のテーブルに基づいて、設定された前記洗浄水量に応じた前記設定時間に切替える設定時間切換部を有する水洗大便器装置。
【請求項２】
排泄物を受け入れるボウル部と、
前記ボウル部の排泄物を排出する排出管路と、を有する大便器本体と、
前記大便器本体へ向けて洗浄水を供給する洗浄水供給手段と、
使用者が前記大便器本体の水洗を指示する水洗指示スイッチと、
前記水洗指示スイッチからの指示信号に基づいて前記洗浄水供給手段の動作を制御して前記大便器本体の水洗を行う制御手段と、
を備えた水洗大便器装置において、
前記制御手段は、
前記水洗指示スイッチからの指示信号に基づいて、前記洗浄水供給手段を単発で駆動して前記大便器本体を水洗する通常水洗モードと、
前記水洗指示スイッチからの指示信号または予め設定された設定条件に基づいて、前記洗浄水供給手段を駆動して前記大便器本体を水洗し、その水洗終了後に再度前記洗浄水供給手段を駆動して前記大便器本体の２回目水洗をする排水管水洗モードと、を備え、
前記制御手段は、
前記水洗指示スイッチからの指示信号とは関係なく、予め設定された設定時間の間隔で排水管水洗モードを実行する、
もしくは、前記水洗指示スイッチからの操作信号の受付時に、前回の前記排水管水洗モードが実行されてからの経過時間が予め設定された設定時間を超えていれば排水管水洗モードを実行し、超えていなければ前記通常水洗モードを実行する、ように構成され、
さらに、前記制御手段は、
前記水洗指示スイッチの使用時間間隔を記憶し、
前記設定時間の間隔内における前記使用時間間隔と関連づけた
前記設定時間を記憶している第２のテーブルに基づいて、前記使用時間間隔に応じた前記設定時間に切替える設定時間切換部を有する水洗大便器装置。
【請求項３】
前記制御手段は、
前記排水管水洗モードで２回目の水洗時に前記大便器本体へ供給する洗浄水量が、１回目の水洗時に前記大便器本体へ供給する洗浄水量以上となるように前記洗浄水供給手段を制御する
請求項１または請求項２に記載の水洗大便器装置。
【発明の詳細な説明】
【技術分野】
【０００１】
本発明は、洗浄水を供給することによって排泄物を排出する水洗大便器装置に関する。
【背景技術】
【０００２】
特許文献１には、水洗式便器に便器を洗浄する洗浄水とは別の汚物搬送用の大量の水を流すことで、水洗式大便器の下流側に連通する横枝排水管内に滞留する汚物を下流側へ押し流し、汚物による横枝排水管の閉塞を防止することが開示されている。
【先行技術文献】
【特許文献】
【０００３】
【特許文献１】特許第４０９４７９７号
【発明の概要】
【発明が解決しようとする課題】
【０００４】
しかしながら、近年、節水への取組みにより、従来に比べて1回の洗浄に使用する洗浄水量が１／２から１／３まで低減された節水便器が開発されており、これらの節水便器に使用される洗浄水を利用して横枝排水管の閉塞防止を行う場合、洗浄水量が従来と比べ少ないことから、搬送性能が十分でなく、便器から排出された排泄物が搬送されずに、建物内の横枝排水管内に停滞したり、横枝排水管壁に固着したりしてしまい十分な閉塞防止効果が得られないという問題があった。
さらに、横枝排水管の閉塞防止を行う洗浄動作が１回では、便器の使用時間間隔が開き、横枝排水管内で停滞した排泄物の後方に溜まっている背負い水がすでに流出してしまっている場合に、排泄物の搬送が円滑に行われないという問題があった。
【０００５】
本発明は、上記問題を解決するためになされたもので、本発明の課題は、便器から排泄された排泄物が搬送されずに建物内の横枝排水管内に停滞したり、停滞した排泄物が横枝排水管壁に固着したりすることで横枝配水管を閉塞させることを防止する水洗大便器装置を提供することである。
【課題を解決するための手段】
【０００６】
上記目的を達成するために、本請求項１に係る発明は、排泄物を受け入れるボウル部と、前記ボウル部の排泄物を排出する排出管路と、を有する大便器本体と、前記大便器本体へ向けて洗浄水を供給する洗浄水供給手段と、使用者が前記大便器本体の水洗を指示する水洗指示スイッチと、前記水洗指示スイッチからの指示信号に基づいて前記洗浄水供給手段の動作を制御して前記大便器本体の水洗を行う制御手段と、を備えた水洗大便器装置において、前記制御手段は、前記水洗指示スイッチからの指示信号に基づいて、前記洗浄水供給手段を単発で駆動して前記大便器本体を水洗する通常水洗モードと、前記水洗指示スイッチからの指示信号または予め設定された設定条件に基づいて、前記洗浄水供給手段を駆動して前記大便器本体を水洗し、その水洗終了後に再度前記洗浄水供給手段を駆動して前記大便器本体の２回目水洗をする排水管水洗モードと、のいずれかを実行可能である。
【０００７】
本請求項１に係る発明の水洗大便器装置によれば、水洗指示スイッチを操作して通常水洗モードで便器洗浄が行われた際に、洗浄水の流量が足りず、建物内の横枝排水管内で排泄物が停滞したり、停滞した排泄物が横枝排水管壁に固着したりしても、特定のタイミングで水洗指示スイッチが操作された際又は所定条件を満たすときには、排水配管水洗モードで便器洗浄が行われることにより、横枝排水管内の排泄物の搬送を完了させることができるため、排泄物により横枝排水管内が閉塞するのを防止することができる。
また、排水配管水洗モードにおいては、１回目の水洗を行うことで横枝排水管内に停滞した排泄物の後方に背負い水を再生し、その後、２回目の水洗を行うことで横枝排水管内に停滞した排泄物の搬送を行うため、特に、水洗大便器装置の使用時間間隔が開き、横枝排水管内で停滞した排泄物の後方に溜まっている背負い水がすでに流出してしまっている場合でも、排泄物の搬送を円滑に行うことができる。
【０００８】
本請求項２に係る発明は、前記制御手段は、前記水洗指示スイッチからのは指示信号とは関係なく、予め設定された設定時間の間隔で前記排水管水洗モードを実行する。
【０００９】
本請求項２に係る発明の水洗大便器装置によれば、予め設定された設定時間の間隔で、排水管水洗モードが実行されるため、使用者が水洗指示スイッチを操作しない時間が長い場合等の水洗指示スイッチの使用状態に係らず、定期的に排水管水洗モードが実行され、排泄物により横枝排水管が閉塞するのを防止することができる。
【００１０】
本請求項３に係る発明は、前記制御手段は、前記水洗指示スイッチからの操作信号の受付時に、前回の前記排水管水洗モードが実行されてからの経過時間が予め設定された設定時間を超えていれば前記排水管水洗モードを実行し、超えていなければ前記通常水洗モードを実行する。
【００１１】
本請求項３に係る発明の水洗大便器装置によれば、水洗指示スイッチの操作時の排水管水洗モードの実行間隔により、排水管水洗モードと通常水洗モードとを切り換えることができるので、特に排水管水洗モードの実行間隔が長く、停滞した汚物の搬送が円滑に行われていないことが推定され、建物内の横枝排水管で排泄物が停滞していると考えられるときに、効率よく排水管水洗モードを実行することができる。
【００１２】
本請求項４に係る発明は、前記制御手段は、前記設定時間を切替える設定時間切替部を有する。
【００１３】
本請求項４に係る発明の水洗大便器装置によれば、設定時間を切替えることができるので、便器の使用環境に合わせて、排水管水洗モードの実行タイミングを切替えることができる。
【００１４】
本請求項５に係る発明は、前記制御手段は、前記通常水洗モードで使用される洗浄水量を設定可能であり、前記設定時間切替部は、前記洗浄水量と前記設定時間とを関連づけて記憶している第１のテーブルに基づいて、設定された前記洗浄水量に応じた前記設定時間に切替える。
【００１５】
本請求項５に係る発明の水洗大便器装置によれば、通常水洗モードで使用される洗浄水量により、排水配管水洗モードを実行する間隔となる設定時間を変更することができるので、水洗大便器の通常水洗モードで使用される洗浄水量に応じて、排水管水洗モードを通常水洗モードの搬送性能に配慮した適切なタイミングで実行することができる。つまり、必要以上の排水配管モードの実行により、過大な洗浄水の使用を防止することができる。
【００１６】
本請求項６に係る発明は、前記制御手段は、前記水洗指示スイッチの使用時間間隔を記憶し、前記設定時間切替部は、前記設定時間の間隔内における前記使用時間間隔と関連づけた前記設定時間を記憶している第２のテーブルに基づいて、前記使用時間間隔に応じた前記設定時間に切替える。
【００１７】
本請求項６に係る発明の水洗大便器装置によれば、水洗指示スイッチの使用時間間隔により、排水配管水洗モードを実行する間隔となる設定時間を変更することができるので、水洗指示スイッチの使用時間間隔に応じて、排水管水洗モードを適切なタイミングで実行することを決定することができる。
【００１８】
本請求項７に係る発明は、前記制御手段は、前記排水管水洗モードで２回目の水洗時に前記大便器本体へ供給する洗浄水量が、１回目の水洗時に前記大便器本体へ供給する洗浄水量以上となるように前記洗浄水供給手段を制御する。
【００１９】
本請求項７に係る発明の水洗大便器装置によれば、排水管水洗モードにおいては、１回目の水洗を行うことで横枝排水管内に停滞した排泄物の後方に背負い水を再生し、その後、２回目水洗を行うことで横枝排水管内に停滞した排泄物の搬送を行うため、２回目の水洗の洗浄水により、排泄物を確実に搬送完了することができる。
【発明の効果】
【００２０】
本発明によれば、便器から排泄された排泄物が搬送されずに建物内の横枝排水管内に停滞し、横枝配水管を閉塞させることを防止することができる。
【図面の簡単な説明】
【００２１】
【図１】本発明の実施形態における水洗大便器装置の概略断面図である。
【図２】本発明の第１の実施形態における洗浄動作を示すフローチャートである。
【図３】図２において、通常水洗モードの動作を示すフローチャートである。
【図４】図２において、排水管水洗モードの動作を示すフローチャートである。
【図５】本発明の第２の実施形態における洗浄動作を示すフローチャートである。
【図６】本発明の実施形態の変形例における第１のテーブルである。
【図７】本発明の実施形態の変形例における第２のテーブルである。
【発明を実施するための形態】
【００２２】
図１は、本発明の実施形態における水洗大便器装置の概略断面図である。
本発明の実施形態である水洗大便器装置１００は、大便器本体１１０と大便器本体１１０に載置され、大便器本体１１０に洗浄水を供給する貯水タンク１２０（洗浄水供給手段）と、使用者が操作を行う水洗指示スイッチ１３０と、を備えている。
また、水洗大便器装置１００は、貯水タンク１２０への貯水および排水を制御する制御手段１４０を備えており、水洗指示スイッチ１３０からの指示信号に基づいて、貯水タンク１２０への貯水および排水を制御し、大便器本体１１０の水洗を行うことができる。
【００２３】
大便器本体１１０は、大便器本体１１０の前方に排泄物Ｅを受けるボウル部１１１と、ボウル部１１１の下部から延びるトラップ管路１１２（排出管路）と、を有している。ボウル部１１１の上縁部には、リム１１１ａと貯水タンク１２０から供給された洗浄水を吐水する吐水口１１１ｂとが形成されている。また、ボウル部１１１の下部には、トラップ管路１１２によって所定高さの溜水Ｗが形成されている。
さらに、大便器本体１１０は、大便器本体１１０の後方に貯水タンク１２０から供給された洗浄水を吐水口１１１ｂへと導水する導水路１１３が形成されている。
トラップ管路１１２は、建物内の横枝排水配管Ｐに接続されており、大便器本体１１０は、このトラップ管路１１２を経て、溜水Ｗと共に排泄物Ｅを建物内の横枝排水配管Ｐに排出することが可能となっている。
【００２４】
貯水タンク１２０は、洗浄水が貯留されているタンク本体１２１と、この貯留された洗浄水を大便器本体１１０へ供給する排水口１２２と、この排水口１２２を開閉する排水弁１２３と、この排水弁１２３を駆動する排水弁駆動機構１２４と、タンク本体１２１の水位を検出する水位センサー１２５と、水位センサー１２５により検知したタンク本体１２１の水位に基づき、図示されない給水源からタンク本体１２１に洗浄水を供給する給水機構１２６と、から構成されている。
【００２５】
排水弁駆動機構１２４は、排水弁１２３の開閉時間で、洗浄水量の調整し、大便器本体１１０の大洗浄と小洗浄との２種類の洗浄を行うことができる。
水位センサー１２５は、タンク本体１２１に貯水された洗浄水の水面に連動して上下に動くため、タンク本体１２１の貯水量に応じた水位を測定することができる。ここで、洗浄水量は、排水弁１２３の開閉時間、および、水位センサー１２５の検出位置ＳＷＬで変更可能となっている。
給水機構１２６は、水位センサー１２５により測定されたタンク本体１２１の水位に基づいて動作し、タンク本体１２１が貯水完了状態になるよう洗浄水の供給を行うことができる。
【００２６】
水洗指示スイッチ１３０は、水洗指示スイッチ１３０は、大洗浄スイッチと小洗浄スイッチとを有しており、使用者は大洗浄と小洗浄のどちらを行うかを指示することができる。
【００２７】
制御手段１４０は、マイコンであり、ＣＰＵとＲＡＭやＲＯＭや不揮発性メモリ等の記憶領域と、を備えており、通常水洗モードと排水管水洗モードとのいずれかで大便器本体１１０の便器洗浄を行うように、排水弁駆動機構１２４と給水機構１２６との制御を行うことができる。
【００２８】
通常水洗モードは、水洗指示スイッチ１３０からの指示信号に基づいて、排水弁駆動機構１２４を単発で駆動して大便器本体１１０を水洗するモードである。
【００２９】
排水管水洗モードは、水洗指示スイッチ１３０からの指示信号又は予め設定された設定時間に基づいて、排水弁駆動機構１２４を駆動して大便器本体１１０を１回目水洗し、その１回目水洗後に再び排水弁駆動機構１２４を駆動し大便器本体１１０の２回目水洗をするモードである。
つまり、排水配管水洗モードは、１回目の水洗を行うことで、横枝排水管Ｐ内に停滞した排泄物Ｅの後方に背負い水ＳＷを再生し、２回目の水洗を行うことで、横枝排水管Ｐ内に停滞した排泄物Ｅの搬送を行うことができる。
そのため、排水配管水洗モードを行うことで、特に、大便器本体１１０の使用時間間隔が開き、横枝排水管Ｐ内で停滞した排泄物Ｅの後方に溜まっている背負い水ＳＷがすでに流出してしまっている場合でも、排泄物Ｅの搬送を円滑に行うことができる。
【００３０】
続いて、本発明の第１の実施形態で行われる洗浄動作について、図２に沿って説明を行う。
図２は、本発明の第１の実施形態で行われる洗浄動作を示すフローチャートである。
【００３１】
本発明の第１の実施形態で行われる洗浄動作において、制御手段１４０は、水洗指示スイッチ１３０からの操作信号の受付時に、予め設定された設定時間Ｘに基づいて、通常水洗モードと排水配管水洗モードとのいずれかを行うようになっている。
また、洗浄動作が開始される前において、タンク本体１２１は、予め貯水が完了した状態になっている。
【００３２】
まず、洗浄動作を開始する場合（Ｓ１００）、制御手段１４０は、使用者が水洗指示スイッチ１３０を押し、水洗指示スイッチ１３０からの指示信号が有るかを確認する（Ｓ１０１）。
水洗指示スイッチ１３０からの指示信号を確認できなかった場合は、制御手段１４０は、指示信号が確認できるまで、待機する（Ｓ１０１、Ｎｏ）。
【００３３】
水洗指示スイッチ１３０からの指示信号を確認できた場合（Ｓ１０１、Ｙｅｓ）、制御手段１４０は、前回の排水配管水洗モードによる便器洗浄が行われてからの時間を計時しているマイコン内のタイマーによって経過時間Ｔを確認する（Ｓ１０２）。
前回の排水配管水洗モードによる便器洗浄が行われてからの経過時間Ｔが、予め設定された設定時間Ｘを越えていない場合（Ｓ１０２、Ｙｅｓ）、制御手段１４０は、通常水洗モードで、便器洗浄を行う（Ｓ２００）。
前回の排水配管水洗モードによる便器洗浄が行われてからの経過時間Ｔが、予め設定された設定時間Ｘを超えていた場合（Ｓ１０２、Ｎｏ）、制御手段１４０は、排水管水洗モードで、便器洗浄を行う（Ｓ３００）。
【００３４】
配水管水洗モードでの便器洗浄が終わると、制御手段１４０は、前回の便器洗浄から計測していた経過時間Ｔをリセットして、経過時間Ｔの計測を再度開始する（Ｓ１０３）。
【００３５】
制御手段１４０は、通常水洗モードでの便器洗浄の終了、又は、経過時間Ｔの計測が再度開始されたことで、洗浄動作が終了したことを認識する（Ｓ１０４）。
【００３６】
次に、本発明の第１の実施形態で行われる洗浄動作において、通常水洗モードの動作について説明を行う。
図３は、図２において、通常水洗モードの動作を示すフローチャートである。
【００３７】
まず、通常水洗モードで便器洗浄が行われると（Ｓ２００）、制御手段１４０は、水洗指示スイッチ１３０からの指示信号が、大洗浄であるか小洗浄であるかを確認する（Ｓ２０１）。
【００３８】
大洗浄の場合（Ｓ２０１、Ｙｅｓ）、制御手段１４０は、排水弁駆動機構１２４を駆動させ、排水弁１２３を引き上げ、排水口１２２を開放させる（Ｓ２０２）。
制御手段１４０は、排水弁１２３が引き上げられてからの時間を計測し、計測した時間が５秒経過したかを確認する（Ｓ２０３）。
制御手段１４０は、計測時間が５秒経過するまでは、排水弁１２３の引き上げを継続させ（Ｓ２０３、Ｎｏ）、５秒経過すると（Ｓ２０３、Ｙｅｓ）、排水弁駆動機構１２４を駆動させ、排水弁１２３を引き下げる（Ｓ２０４）。
【００３９】
小洗浄の場合（Ｓ２０１、Ｙｅｓ）、制御手段１４０は、排水弁駆動機構１２４を駆動させ、排水弁１２３を引き上げ、排水口１２２を開放させる（Ｓ２０５）。
制御手段１４０は、排水弁１２３が引き上げられてからの時間を計測し、計測した時間が３秒経過したかを確認する（Ｓ２０６）。
制御手段１４０は、計測時間が３秒経過するまでは、排水弁１２３の引き上げを継続し（Ｓ２０６、Ｎｏ）、３秒経過すると（Ｓ２０６、Ｙｅｓ）、排水弁駆動機構１２４を駆動させ、排水弁１２３を引き下げる（Ｓ２０４）。
【００４０】
制御手段１４０は、排水弁１２３を引き下げられ、排水口１２２が閉鎖されたことで、通常水洗モードの動作が終了したことを認識する（Ｓ２０７）。
【００４１】
次に、本発明の第１の実施形態で行われる洗浄動作において、配水管水洗モードの動作について説明を行う。
図４は、図２において、配水管水洗モードの動作を示すフローチャートである。
【００４２】
まず、排水管水洗モードで便器洗浄が行われると（Ｓ３００）、制御手段１４０は、水洗指示スイッチ１３０からの指示信号が、大洗浄であるか小洗浄であるかを確認する（Ｓ３０１）。
【００４３】
大洗浄の場合（Ｓ３０１、Ｙｅｓ）、制御手段１４０は、排水弁駆動機構１２４を駆動させ、排水弁１２３を引き上げ、排水口１２２を開放させる（Ｓ３０２）。
制御手段１４０は、排水弁１２３が引き上げられてからの時間を計測し、計測した時間が５秒経過したかを確認する（Ｓ３０３）。
制御手段１４０は、計測した時間が５秒経過するまでは、排水弁１２３の引き上げを継続し（Ｓ３０３、Ｎｏ）、５秒経過すると（Ｓ３０３、Ｙｅｓ）、排水弁駆動機構１２４を駆動させ、排水弁１２３を引き下げる、排水口１２２を閉鎖させる（Ｓ３０４）。
【００４４】
小洗浄の場合（Ｓ３０１、Ｎｏ）、制御手段１４０は、排水弁駆動機構１２４を駆動させ、排水弁１２３を引き上げ、排水口１２２を開放させる（Ｓ３０５）。
制御手段１４０は、排水弁１２３が引き上げられてからの時間を計測し、計測した時間が３秒経過したかを確認する（Ｓ３０６）。
制御手段１４０は、計測時間が３秒経過するまでは、排水弁１２３の引き上げを継続し（Ｓ３０６、Ｎｏ）、３秒経過すると（Ｓ３０６、Ｙｅｓ）、排水弁駆動機構１２４を駆動させ、排水弁１２３を引き下げ、排水口１２２を閉鎖させる（Ｓ３０４）。
【００４５】
排水口１２２の閉鎖後、制御手段１４０は、給水機構１２６を駆動し、貯水タンク１２０内に洗浄水を供給し、タンク本体１２１への貯水が完了したかを確認する（Ｓ３０７）。
制御手段１４０は、タンク本体１２１への貯水が完了するまで給水機構１２６の駆動を継続させ（Ｓ３０７、Ｎｏ）、貯水が完了すると（Ｓ３０７、Ｙｅｓ）、給水機構１２６の駆動を停止させ、給水を停止する。制御手段１４０は、給水の停止を確認すると、排水弁駆動機構１２４を駆動させ、排水弁１２３を引き上げ、排水口１２２を開放し、２回目の水洗を行う（Ｓ３０８）。
【００４６】
この際、制御手段１４０は、２回目の水洗を行うために、排水弁１２３を引き上げてからの時間を計測しており、計測時間が５秒経過したかを確認する（Ｓ３０９）。
制御手段１４０は、計測時間が５秒経過するまでは、排水弁１２３の引き上げを継続させ（Ｓ３０９、Ｎｏ）、計測時間が５秒経過すると（Ｓ３０９、Ｙｅｓ）、排水弁駆動機構１２４を駆動させ、排水弁を引き下げる（Ｓ３１０）。
【００４７】
制御手段１４０は、排水弁１２３を引き下げられ、排水口１２２が閉鎖されたことで、排水管水洗モードの動作が終了したことを認識する（Ｓ３１１）。
【００４８】
ここで、排水配管水洗モードにおいては、２回目水洗時にタンク本体１２１から大便器本体１１０に供給する洗浄水量は、１回目水洗時の大便器本体１１０に供給する洗浄水量以上の洗浄水量になるように制御手段１４０によって制御されている。
また、大洗浄と小洗浄を行う場合について、通常水洗モード及び配水管水洗モードでの排水弁が引き上げられている時間は、大洗浄の場合は５秒、小洗浄の場合は３秒としたが、この時間は、排水弁１２３の口径や、大便器本体１１０の圧力損失などによって変更されるものである。
【００４９】
続いて、本発明の第２の実施形態で行われる洗浄動作について、図５に沿って説明を行う。
図５は、本発明の実施形態で行われる第２の洗浄動作を示すフローチャートである。
本発明の第２の実施形態で行われる洗浄動作において、通常水洗モード及び排水管水洗モードで行われる動作は、本発明の第１の実施形態で行われる図３及び図４の洗浄動作と同じ動作であるので、説明を省略する。
【００５０】
本発明の第１の実施形態で行われる洗浄動作において、排水管水洗モードは、水洗指示スイッチ１３０からの操作信号の受付時に、予め設定された設定時間Ｘの間隔で行われていたが、本発明の第２の実施形態で行われる洗浄動作においては、前回の排水管水洗モードによる便器洗浄が行われてからの経過時間Ｔに基づいて行われる。
また、本発明の第２の実施形態で行われる洗浄動作において、本発明の第１の実施形態で行われる洗浄動作と同様に、洗浄動作が開始される前のタンク本体１２１は、予め貯水が完了した状態となっている。
【００５１】
まず、洗浄動作を開始する場合（Ｓ４００）、制御手段１４０は、使用者が水洗指示スイッチ１３０を押し、水洗指示スイッチ１３０からの指示信号が有るかを確認する（Ｓ４０１）。
水洗指示スイッチ１３０からの指示信号を確認できた場合（Ｓ４０１、Ｙｅｓ）、通常水洗モードを実行して、便器洗浄を行う（Ｓ２００）。
【００５２】
水洗指示スイッチ１３０からの指示信号を確認できない場合（Ｓ４０１、Ｎｏ）、制御手段１４０は、前回の排水配管水洗モードによる便器洗浄が行われてからの経過時間Ｔを確認する（Ｓ４０２）。
前回の排水配管水洗モードによる便器洗浄が行われてからの経過時間Ｔが、予め設定された設定時間Ｘを越えていない場合（Ｓ４０２、Ｎｏ）、制御手段１４０は、いずれのモードでも便器洗浄を行わず、指示信号の確認に戻る（Ｓ４０１）。
【００５３】
前回の排水配管水洗モードによる便器洗浄が行われてからの経過時間Ｔが、予め設定された設定時間Ｘを超えていた場合（Ｓ４０２、Ｙｅｓ）、制御手段１４０は、排水管水洗モードでの便器洗浄を行う（Ｓ３００）。
配水管水洗モードでの便器洗浄が終わると、制御手段１４０は、経過時間Ｔをリセットし、経過時間Ｔの計測を再度開始する（Ｓ４０３）。
【００５４】
制御手段１４０は、通常水洗モードでの便器洗浄が終了したこと、又は、経過時間Ｔの計測が再度開始されたことで、洗浄動作が終了したことを認識する（Ｓ４０４）。
【００５５】
続いて、第１及び第２の実施形態で行われる洗浄動作においての変形例を示す。
本発明の第１及び第２の実施形態における洗浄動作においては、変形例として、設定時間Ｘを、固定値ではなく、任意に切替可能な可変値にすることができる。
この際、制御手段１４０は、記憶領域内に設定時間切替部を有し、設定時間切替部によって設定時間Ｘを切替えることができる。
つまり、制御手段１４０は、使用される大便器本体の種類、水洗大便器装置の使用状況、横枝排水配管Ｐの段差や勾配、および、横枝排水配管Ｐの管壁劣化状況などによって、排水管水洗モードを行うタイミングを任意に変更することができる。
【００５６】
まず、第１の変形例について、説明を行う。
第１の変形例において、設定時間は、使用者が水洗指示スイッチ１３０を長押し操作することにより、設定時間切替部が設定時間Ｘを切替えることができる。
具体的には、使用者が水洗指示スイッチを１０秒間長押した際、当初設定された設定時間Ｘが１２時間だった場合は、設定時間Ｘが２４時間に切替り、当初設定された設定時間Ｘが２４時間だった場合は、設定時間Ｘが１２時間に切替わる。
【００５７】
次に第２の変形例について、図６を用いて説明を行う。図６は本発明の実施形態の変形例における第１のテーブルであり、通常水洗モードで使用される洗浄水量と設定時間との関係を示している。
【００５８】
第２の変形例において、制御手段１４０の記憶領域には、通常水洗モードで使用される洗浄水量と設定時間とを関連付けて記憶している第１のテーブルが記憶されている。
図６に示すように、第１のテーブルは、洗浄水量が６リットルより少ない場合、設定時間Ｘが１２時間になり、洗浄水量が６リットル以上の場合は、設定時間Ｘが２４時間になるような条件となっている。
【００５９】
第２の変形例において、設定時間Ｘは、設定された洗浄水量に応じて、記憶領域に記憶された第１のテーブルを設定時間切替部が参照することで、切替えることができる。
具体的には、使用者が通常水洗モードで使用される洗浄水量を４．８リットルと設定した場合、設定時間切替部は、第１のテーブルを参照し、設定時間を１２時間に切替える。
【００６０】
次に第３の変形例について、図７を用いて説明を行う。図７は本発明の実施形態の変形例における第２のテーブルであり、設定時間間隔内における水洗指示スイッチ１３０の使用時間間隔と設定時間との関係を示している。ここで、水洗指示スイッチ１３０の使用時間間隔とは、１日に水洗指示スイッチ１３０が押された時間間隔の中で最も大きい時間間隔のことである。
【００６１】
第３の変形例において、制御手段１４０の記憶領域には、水洗指示スイッチ１３０の使用時間間隔と設定時間とを関連付けて記憶している第２のテーブルが記憶されている。
図７に示すように、第２のテーブルは、水洗指示スイッチ１３０の使用時間間隔が、２時間の場合は、設定時間Ｘが２４時間になり、２時間以上の場合は、設定時間Ｘが１２時間になるような条件になっている。また、水洗指示スイッチ１３０の使用時間間隔が、１時間の場合以下の場合は、設定時間Ｘが無限となる、つまり、排水配管モードが実行されない条件になっている。
【００６２】
第３の変形例について、設定時間Ｘは、制御手段１４０で記憶されている水洗指示スイッチ１３０の使用時間間隔に応じて、記憶領域に記憶された第２のテーブルを設定時間切替部が参照することで、切替えることができる。
具体的には、制御手段１４０で記憶している水洗指示スイッチ１３０の使用時間間隔が３時間の場合、設定時間切替部は、第２のテーブルを参照し、設定時間を１２時間に切替える。
【００６３】
第３の変形例において、水洗指示スイッチ１３０の使用時間間隔は、１日の使用時間間隔の中で最も大きい時間間隔としたが、これに限られず、１日に水洗指示スイッチ１３０が押された時間間隔の１日の平均の時間間隔としてもよい。
【００６４】
以上、本発明の実施形態について説明したが、本発明はこれらの記述に限定されるものではない。例えば、第１及び第２のテーブルに示した数値は、これに限らず、任意の洗浄水量や使用時間間隔に基づくものでよい。
また、大洗浄及び小洗浄の制御を時間でなく、水位センサーからの検知結果に基づいて、行ってもよい。
また、大洗浄と小洗浄を行う場合、大洗浄用の排水弁と小洗浄用の排水弁の２つの排水弁を用いることで、大洗浄と小洗浄で排水弁が引き上げられる時間を変えず、一定の時間排水弁を引き上げることで、大洗浄と小洗浄を切替えてもよい。
また、貯水タンク１２０への貯水は、排水口１２２の閉鎖後から行うのではなく、排水口１２２が開放されている排水途中から給水機構１２６を駆動させ、給水を行うようにしてもよい。
【符号の説明】
【００６５】
１００…水洗大便器装置
１１０…大便器本体
１１１…ボウル部
１１１ａ…リム
１１１ｂ…吐水口
１１２…トラップ管路（排出管路）
１１３…導水路
１２０…貯水タンク
１２１…タンク本体
１２２…排水口
１２３…排水弁
１２４…排水弁駆動機構
１２５…水位センサー
１２６…給水機構
１３０…水洗指示スイッチ
１４０…制御手段
Ｅ…排泄物
Ｐ…横枝排水配管
Ｗ…溜水
ＳＷ…背負い水
【図１】
0006749581.tif 000002
【図２】
0006749581.tif 000003
【図３】
0006749581.tif 000004
【図４】
0006749581.tif 000005
【図５】
0006749581.tif 000006
【図６】
0006749581.tif 000007
【図７】
0006749581.tif 000008